(57)【特許請求の範囲】
【請求項１】
直管形ランプの口金部から突出するランプピンをソケット本体の挿入口に挿入し、前記直管形ランプを該直管形ランプの軸回りに回動させて装着させる防水ソケットであって、
前記ソケット本体と、該ソケット本体に装着される前記直管形ランプの前記口金部を覆い前記軸回りの螺合により前記ソケット本体に締め付ける締付カバーと、前記直管形ランプが挿通可能であり前記ソケット本体と前記締付カバーとの間に前記ソケット本体側から前記締付カバー側にかけて順に配される、前記ソケット本体側に当接させる第１内筒部と、挿通される前記直管形ランプとの間から水分が浸入することを抑制する筒状のシール材と、該シール材を収納し前記締付カバーの締め付けにより前記シール材を前記第１内筒部に押圧する第２内筒部とを備え、
前記ソケット本体は、前記第１内筒部に設けられ前記軸回りに前記第１内筒部が回転することを規制させる回転規制部と係合する本体回転規制部を有し、前記第２内筒部は、前記直管形ランプの軸方向に前記第２内筒部を移動可能とし、かつ前記第１内筒部に設けられた第１位置規制部と係合して前記第２内筒部の前記軸回りの回転を規制させる第２位置規制部を設けていること特徴とする防水ソケット。
【請求項２】
前記第１位置規制部および前記第２位置規制部は、一方が凸状部であり、他方が、前記凸状部に係合する切欠部、あるいは前記凸状部に係合する溝部であることを特徴とする請求項１に記載の防水ソケット。
【請求項３】
前記回転規制部および前記本体回転規制部は、一方が凸状の形状であって、他方が前記凸状の形状に係合する凹状の形状を備えていることを特徴とする請求項１または請求項２に記載の防水ソケット。
【請求項４】
前記回転規制部は、鋸歯状の形状であって、前記本体回転規制部は、前記回転規制部と係合し、前記軸回りの一方の向きに回転が可能で前記一方と反対の他方の向きへの回転を規制する鋸歯状の形状を備えていることを特徴とする請求項１または請求項２に記載の防水ソケット。
【請求項５】
前記締付カバーは、該締付カバーの内周面に前記ソケット本体と螺合する雌螺子部を備え、該雌螺子部には、前記軸方向に、前記第１内筒部の外周面に設けられた突出部を挿通する挿通部が設けられ、前記挿通部に挿通した前記突出部が前記挿通部から前記軸回りにずれた位置において、前記突出部と前記雌螺子部とが係止されてなることを特徴とする請求項１ないし請求項４のいずれか１項に記載の防水ソケット。
【請求項６】
前記挿通部は、前記ソケット本体側から離れるにしたがって、前記挿通部の幅が狭くなることを特徴とする請求項５に記載の防水ソケット。
【請求項７】
前記挿通部同士の間隔と、前記突出部同士の間隔とが前記軸回りにおいて異なっていることを特徴とする請求項５または請求項６に記載の防水ソケット。
【請求項８】
請求項１ないし請求項７に記載のいずれか１項の防水ソケットを備えていることを特徴とする照明装置。
【発明の詳細な説明】
【技術分野】
【０００１】
本発明は、直管形ランプを装着させる防水ソケットおよびそれを備えた照明装置に関する。
【背景技術】
【０００２】
従来から、家庭や各種施設の照明装置として、蛍光ランプを装着するランプソケットを備えた照明装置が広く用いられている。ランプソケットには、屋外や水回りでの使用を考慮した防水性や防塵性を備えた防水ソケットもある。
【０００３】
この種の防水ソケットとして、図７に示すように、直管形蛍光ランプ（図示していない）を装着可能なものであり、直管形蛍光ランプの口金部から突出する一対のランプピンを挿入する挿入口を備えたソケット本体７１１と、第２防水パッキン７１５と、ソケット本体７１１に直管形蛍光ランプの端部の外周面を覆い隠してソケット本体７１１に取り外し可能に取り付けられる締付け筒アセンブリ７１４とを具備し、締付け筒アセンブリ７１４は、締付け筒７１７と、スリップリング７１８と、第１防水パッキン７１３と、パッキン押え７１９とを備えて形成された防水ソケットが知られている（たとえば、特許文献１）。
【０００４】
ここで、ソケット本体７１１は、ベース部７２１につながった部分の外周面に雄螺子部７２５が設けられた螺合部７２２、パッキン受け部７２３が設けられており、前面を塞ぐ前面壁７２４を有している。螺合部７２２の外周面部分は、螺合部７２２の根元部７２２ａをパッキン嵌合部としている。根元部７２２ａには、第２防水パッキン７１５が嵌合される。また、螺合部７２２には、ソケット本体７１１の先端側に位置して雄螺子部７２５を横断するランプピン通過溝７２６が設けられている。そして、前面壁７２４には、二股状のランプピン回転用溝７２７が形成されていている。
【０００５】
締付け筒７１７の開口部には、内向き縁部７３１が形成され、締付け筒７１７の後部内周面には雄螺子部７２５に螺合する雌螺子部が形成されている。締付け筒７１７内には、スリップリング７１８が内向き縁部７３１の内面に接して収容される。締付け筒７１７内には、第１防水パッキン７１３とパッキン押え７１９とが夫々収容され、第１防水パッキン７１３は、パッキン押え７１９とスリップリング７１８との間に挟設される。スリップリング７１８は、締付け筒７１７を締付け方向に回転操作する際に締付け筒７１７が第１防水パッキン７１３に対して回転し易くするために使用されている。パッキン押え７１９は、第１防水パッキン７１３の内周面に嵌合して取付けられている。パッキン押え７１９には、第１防水パッキン７１３に当接する外向きのフランジ７４１が形成されているとともに、フランジ７４１から複数の係合突起７４２が後方に突出されている。パッキン押え７１９は、係合凸部７４２と係合凹部７２８との凹凸係合により、ソケット本体７１１に対して周方向に回らないように位置規制されている。
【先行技術文献】
【特許文献】
【０００６】
【特許文献１】特開２００１−５２８３０号公報
【発明の概要】
【発明が解決しようとする課題】
【０００７】
ところで、近年、蛍光ランプに比べて長寿命で、消費電力をより低くすることが可能な発光ダイオードを用いたＬＥＤランプが普及しつつあり、直管形蛍光ランプの代替光源としての直管形ＬＥＤランプおよび該直管形ＬＥＤランプを装着させる直管形ＬＥＤランプ専用照明装置が開発されつつある。なお、直管形ＬＥＤランプは、管本体の一端側の口金部から突出した２本のランプピンおよび他端側の口金部から突出した１本のランプピンを備えた構造をしており、日本電球工業会による規格（ＪＥＬ８０１：２０１０）「Ｌ型ピン口金ＧＸ１６ｔ−５付直管形ＬＥＤランプシステム（一般照明用）」も制定されている。
【０００８】
そのため、直管形ＬＥＤランプにおいても従来からの直管形蛍光ランプと同様に屋外や水回りでの使用を考慮した防水性や防塵性が要求される構造を有する防水ソケットが望まれている。
【０００９】
ここで、直管形ＬＥＤランプは、アース用の１本のランプピンを備えたアース口金部と、給電用の２本のランプピンを備えた給電口金部とを有しており、給電口金部よりも先にアース口金部をアースに電気的に接続させる必要がある。そのため、ソケットは、直管形ＬＥＤランプを直管形ＬＥＤランプの軸回りに回動させて装着させる回転構造の防水ソケットが必要とされる。なお、直管形蛍光ランプの防水ソケットにおいても、片方のランプピンが防水ソケットと電気的に接触して給電された状態で、他方のランプピンに人が触れるという状態を防止するなどのため、回転構造の防水ソケットが望まれる場合もある。
【００１０】
ところで、上述の特許文献１に記載された防水ソケットは、直管形蛍光ランプのランプピンを差込口に差し込んで装着する差し込み構造のソケットであり、そのままでは、直管形ＬＥＤランプに使用できない。そのため、上述の特許文献１に記載された防水ソケットを回転式のソケットに応用することが考えられる。しかしながら、単に、上述の特許文献１に記載された防水ソケットを回転式のソケットに応用しただけでは、外側の締付け筒７１７をソケット本体部７１１に締め付ける際に、締付け筒７１７の回転とともに直管形ＬＥＤランプも意図せず回転する共回りが生ずる場合がある。特に、直管形ＬＥＤランプや直管形蛍光ランプである直管形ランプを直管形ランプの軸回りに回転させて装着させる回転構造の防水ソケットでは、直管形ランプの軸回りに回転しやすい。
【００１１】
そのため、回転構造のソケットに応用した防水ソケットでは、直管形ランプ側と防水ソケット側との電気的な接触不良を生じさせる原因となる恐れがある。
【００１２】
さらに、直管形ＬＥＤランプの場合、直管形ＬＥＤランプは、直管形ＬＥＤランプ自体が照射する光に指向性があり、直管形ＬＥＤランプの共回りにともない、所定の位置に直管形ＬＥＤランプがソケットに装着されなければ直管形ＬＥＤランプからの配光に影響を及ぼしやすいという問題がある。
【００１３】
本発明は、上記事由に鑑みてなされたものであり、その目的は、意図しない直管形ランプの回転を抑制する防水ソケットおよびそれを用いた照明装置を提供することにある。
【課題を解決するための手段】
【００１４】
本発明の防水ソケットは、直管形ランプの口金部から突出するランプピンをソケット本体の挿入口に挿入し、上記直管形ランプを該直管形ランプの軸回りに回動させて装着させる防水ソケットであって、上記ソケット本体と、該ソケット本体に装着される上記直管形ランプの上記口金部を覆い上記軸回りの螺合により上記ソケット本体に締め付ける締付カバーと、上記直管形ランプが挿通可能であり上記ソケット本体と上記締付カバーとの間に上記ソケット本体側から上記締付カバー側にかけて順に配される、上記ソケット本体側に当接させる第１内筒部と、挿通される上記直管形ランプとの間から水分が浸入することを抑制する筒状のシール材と、該シール材を収納し上記締付カバーの締め付けにより上記シール材を上記第１内筒部に押圧する第２内筒部とを備え、上記ソケット本体は、上記第１内筒部に設けられ上記軸回りに上記第１内筒部が回転することを規制させる回転規制部と係合する本体回転規制部を有し、上記第２内筒部は、上記直管形ランプの軸方向に上記第２内筒部を移動可能とし、かつ上記第１内筒部に設けられた第１位置規制部と係合して上記第２内筒部の上記軸回りの回転を規制させる第２位置規制部を設けていること特徴とする。
【００１５】
この防水ソケットにおいて、上記第１位置規制部および上記第２位置規制部は、一方が凸状部であり、他方が、上記凸状部に係合する切欠部、あるいは上記凸状部に係合する溝部であることが好ましい。
【００１６】
この防水ソケットにおいて、上記回転規制部および上記本体回転規制部は、一方が凸状の形状であって、他方が上記凸状の形状に係合する凹状の形状を備えていることが好ましい。
【００１７】
この防水ソケットにおいて、上記回転規制部は、鋸歯状の形状であって、上記本体回転規制部は、上記回転規制部と係合し、上記軸回りの一方の向きに回転が可能で上記一方と反対の他方の向きへの回転を規制する鋸歯状の形状を備えていることが好ましい。
【００１８】
この防水ソケットにおいて、上記締付カバーは、該締付カバーの内周面に上記ソケット本体と螺合する雌螺子部を備え、該雌螺子部には、上記軸方向に、上記第１内筒部の外周面に設けられた突出部を挿通する挿通部が設けられ、上記挿通部に挿通した上記突出部が上記挿通部から上記軸回りにずれた位置において、上記突出部と上記雌螺子部とが係止されてなることが好ましい。
【００１９】
この防水ソケットにおいて、上記挿通部は、上記ソケット本体側から離れるにしたがって、上記挿通部の幅が狭くなることが好ましい。
【００２０】
この防水ソケットにおいて、上記挿通部同士の間隔と、上記突出部同士の間隔とが上記軸回りにおいて異なっていることが好ましい。
【００２１】
本発明の照明装置は、上述のいずれかの防水ソケットを備えていることを特徴とする。
【発明の効果】
【００２２】
本発明の防止ソケットは、意図しない直管形ランプの回転を抑制する防水ソケットを提供できるという顕著な効果がある。
【００２３】
本発明の照明装置は、意図しない直管形ランプの回転を抑制する防水ソケットを備えた照明装置を提供できるという顕著な効果がある。
【図面の簡単な説明】
【００２４】
【図１】実施形態１の防水ソケットを示し、（ａ）は直管形ランプを装着させた使用状態を示す概略斜視図、（ｂ）は防水ソケットの分解斜視図である。
【図２】同上の防水ソケットの縦断面図である。
【図３】同上の防水ソケットに装着される直管形ランプを示し、（ａ）は正面図、（ｂ）は一端側の口金たる第１口金部に他端側の口金たる第２口金部のランプピンを投影した側面説明図である。
【図４】実施形態２の防水ソケットの要部を示し、（ａ）は第１内筒部の外観斜視図、（ｂ）ソケット本体の部分説明図である。
【図５】実施形態３の防水ソケットの要部を示す分解斜視図である。
【図６】実施形態４の照明装置を示す概略構成図である。
【図７】従来の防水ソケットの分解斜視図である。
【発明を実施するための形態】
【００２５】
（実施形態１）
図１ないし図２に基づいて、本実施形態の防水ソケット１０を説明し、図３に基づいて直管形ランプ２０を説明する。なお、各図において、同様の構成要素に対しては、同じ番号を付して重複する説明を省略している。
【００２６】
最初に、本実施形態の防水ソケット１０に装着するＬ型口金付直管形ＬＥＤランプからなる直管形ランプ２０について説明する。図３に示す直管形ランプ２０は、透光性材料（たとえば、ガラスや合成樹脂など）により円筒形状の直管に形成された管本体である発光管２１を備えている。発光管２１の軸方向の両端部には、口金がそれぞれ設けられている。本実施形態の防水ソケット１０に装着される直管形ランプ２０は、一方の端部における口金として、発光管２１の一端部側を覆うように、有底円筒状の給電用の第１口金部２２が設けられている。また、直管形ランプ２０は、他方の端部における口金として、発光管２１の軸方向の他端部側を覆うように、有底円筒状の接地用の第２口金部２３が設けられている。
【００２７】
発光管２１の内部には、図示していないが発光管２１よりも全長が若干短い矩形板状の実装基板（たとえば、セラミック基板など）が収納されている。実装基板の一表面側には白色光が発光可能な複数個の発光ダイオード（図示していない）を所定の間隔で実装して電気的に接続する回路パターンが形成されている。また、実装基板の他表面側には、該他表面側と接する底面部から突出した側壁部が発光ダイオードからの光を所定の方向に反射させる断面Ｃ字形状の反射板（図示していない）を備えている。なお、反射板は、アルミニウムにより形成されており、実装基板の他表面側から底面部を介して発光ダイオードの熱を外部に放出させるヒートシンクとしても機能する。
【００２８】
直管形ランプ２０の第１口金部２２の端面には、側面視において、第１口金部２２の径方向における中央部の両側に略半円状に凹んだ凹部２２ｂ，２２ｂが設けられ（図３（ｂ）を参照）、中央部が凹部２２ｂよりも前方に突出した直方体状の突出部２２ａとなっている。突出部２２ａには、円筒形状の発光管２１の中心軸（図示していない）を挟んで対称な位置に、金属材料により板状に形成され、直管形ランプ２０の軸方向に沿って突出する給電用のランプピンたる２本の第１ランプピン２４，２４が略平行に設けられている。各第１ランプピン２４は、直管形ランプ２０の軸方向と平行に突出した板状突出部２４ａと、板状突出部２４ａの先端部が略直角に曲げられて、中心軸に向かう方向と反対側の外側方向に突出している折曲部２４ｂとを備えている。
【００２９】
２本の第１ランプピン２４，２４は、たとえば、発光管２１の内部で図示していないリード線を介して実装基板の回路パターンと電気的に接続させている。なお、実装基板には、発光ダイオードが実装されるとともに発光ダイオードを電気的に保護する全波整流器などの回路部品（図示していない）も実装させている。すなわち、直管形ランプ２０は、いずれの第１ランプピン２４，２４が防水ソケット１０を介して外部の直流電源の正極側と接続された場合でも、各発光ダイオードに順方向電流が流れるように、２本の第１ランプピン２４，２４と、各発光ダイオードとを全波整流器を介して電気的に接続させた構造としている。したがって、２本の第１ランプピン２４，２４は、直管形ランプ２０の発光ダイオードに給電する端子として機能する。
【００３０】
なお、直管形ランプ２０に収容されている発光ダイオードは、図示していないが、たとえば、通電することにより、ピーク波長が、４２０ｎｍ〜４９０ｎｍの範囲内にある青色光を放射するＬＥＤチップと、ＬＥＤチップを収納する収納凹所が一表面に設けられたセラミック（たとえば、アルミナなど）製のパッケージ本体とを備えている。収納凹所には、ＬＥＤチップから放射された青色光の一部を吸収し、より長波長の蛍光（たとえば、黄色光）を発する蛍光体（たとえば、Ｃｅで付活されたＹ３Ａｌ５Ｏ１２、Ｃｅで付活されたＴｂ３Ａｌ５Ｏ１２などのアルミネート系の蛍光体やＥｕで付活されたＢａ２ＳｉＯ４などのシリケート系の蛍光体）が含有された透光性材料（たとえば、シリコーン樹脂、エポキシ樹脂、アクリル樹脂、ポリカーボネート樹脂やガラスなど）からなる波長変換部材が埋設されている。また、発光ダイオードは、パッケージ本体の他表面に外部接続用電極（図示していない）が設けられており、該外部接続用電極と実装基板の回路パターンとが半田からなる接合部（図示していない）を介して電気的に接続されている。
【００３１】
直管形ランプ２０の他端側の口金となる第２口金部２３は、直管形ランプ２０の軸方向に沿って第２口金部２３から突出する接地用のランプピンたる１本の第２ランプピン２５を備えている。第２ランプピン２５は、第２口金部２３の端面の中心部から直管形ランプ２０の軸方向に沿って突出し、金属材料により丸棒状に形成された軸部２５ａを備えている。軸部２５ａの先端部には、直管形ランプ２０の軸方向から見た形状が直管形ランプ２０の第１口金部２２から突出する２本の第１ランプピン２４，２４が並ぶ方向と平行方向を、長手方向とする長円形状に形成され、軸部２５の軸径よりも大きな径大部２５ｂを備えている（図３（ｂ）を参照）。なお、径大部２５ｂは、長円形状だけに限らず、楕円形状であってもよい。径大部２５ｂは、金属材料からなり軸部２５ａと一体に形成されている。すなわち、第２ランプピン２５は、直管形ランプ２０の軸方向に沿って突出した丸棒状の軸部２５ａと、径大部２５ｂとを有してＴ字状の形状となっている（図３（ａ）を参照）。第２ランプピン２５は、実装基板の回路パターンと電気的に接続して接地用のアースピンとして機能させている。すなわち、直管形ランプ２０は、一端部側の第１口金部２２から給電する片側給電方式となっている。
【００３２】
このような直管形ランプ２０の第１口金部２２を装着可能な図１に示す本実施形態の防水ソケット１０は、直管形ランプ２０の第１口金部２２から突出する第１ランプピン２４，２４をソケット本体１の挿入口１ｅに挿入し、直管形ランプ２０を直管形ランプ２０の軸回りに回動させて装着させる防水ソケット１０である。防水ソケット１０は、ソケット本体１と、ソケット本体１に装着される直管形ランプ２０の第１口金部２２を覆い上記軸回りの螺合によりソケット本体１に締め付ける締付カバー６と、直管形ランプ２０が挿通可能でありソケット本体１と締付カバー６との間にソケット本体１側から締付カバー６側にかけて順に配される、ソケット本体１側に当接させる第１内筒部３と、挿通される直管形ランプ２０との間から水分が浸入することを抑制する筒状のシール材４と、シール材４を収納し締付カバー６の締め付けによりシール材４を第１内筒部３に押圧する第２内筒部５とを備えている。さらに、防水ソケット１０のソケット本体１は、第１内筒部３に設けられ軸回りに第１内筒部３が回転することを規制させる回転規制部３ｂと係合する本体回転規制部１ｇを有し、第２内筒部５は、直管形ランプ２０の軸方向に第２内筒部５を移動可能とし、かつ第１内筒部３に設けられた第１位置規制部３ｃと係合して第２内筒部５の上記軸回りの回転を規制させる第２位置規制部５ｃを設けている。
【００３３】
より具体的には、本実施形態の防水ソケット１０のソケット本体１は、開口部１ｃａを備え内部が空洞なボディ部１ｃと、ボディ部１ｃの開口部１ｃａの周部を除いて覆いボディ部１ｃに対して回動可能な回転子１ｉとを備えている。また、ソケット本体１には、ボディ部１ｃと回転子１ｉとで囲まれた空洞内に収納され、直管形ランプ２０の２本の第１ランプピン２４，２４と個別に電気的に接続可能な給電用の導電板たる一対の導電部１ｈ，１ｈが備えられている。
【００３４】
また、ソケット本体１は、ボディ部１ｃに、支持部１ｂを介して図示していない器具側に取り付けるためのベース基台１ａを備えている。ボディ部１ｃは、合成樹脂により有底円筒状に形成されている。また、回転子１ｉは、合成樹脂により形成しており、直管形ランプ２０の第１口金部２２の凹部２２ｂが当接可能な受口面１ｉａ，１ｉａを有している。ここで、ボディ部１ｃの外周壁１ｄには、直管形ランプ２０の第１口金部２２から突出した２本の第１ランプピン２４，２４を挿入するための挿入口１ｅが１つ設けられている。また、回転子１ｉは、回転子１ｉの外周側から回転子１ｉの径方向に沿って、第１ランプピン２４，２４をソケット本体１の内部側に挿入するための直線状溝部１ｋｂを備えている。回転子１ｉは、ボディ部１ｃの内底面における中央部から突出した一対の対応する半円筒状の突出部１ｊに対して回転自在に係合させるため、ボディ部１ｃ側に突出し突出部１ｊの外径よりも内径が大きい円筒状の突部１ｋを備えている。また、回転子１ｉの突部１ｋには、突出部１ｊに設けられた挿入凹部１ｊａに挿入して係合するための係合爪部１ｋａを備えている（図２を参照）。すなわち、回転子１ｉは、回転により外周壁１ｄ側で直線状溝部１ｋｂと挿入口１ｅとの位置を一致させることが可能としている。なお、ボディ部１ｃおよび回転子１ｉは、電気絶縁性の合成樹脂を用いて形成することで絶縁性を確保している。
【００３５】
一対の導電部１ｈ，１ｈは、それぞれ導電性の良好な金属材料（たとえば、銅合金など）の板状体を折り曲げ加工して形成される。一対の導電部１ｈ，１ｈは、ボディ部１ｃの内部で、突出部１ｊを介して配置させている。なお、各導電部１ｈは、同形状で形成させても異なる形状であってもよい。ここで、導電部１ｈは、ボディ部１ｃの内部に設けた内壁部１ｍを利用して固定している。
【００３６】
各導電部１ｈは、中央部に直管形ランプ２０の第１ランプピン２４と接触する接触片１ｈａを備えている。各導電部１ｈは、接触片１ｈａの一端部に、一対の接触片１ｈａ，１ｈａ間の幅よりも、より広がる向きに接触片１ｈａから折り曲げられたガイド片１ｈｂを備えている。各導電部１ｈは、接触片１ｈを介してガイド片１ｈｂと反対側の他端部にベース片１ｈｃを備えている。
【００３７】
直管形ランプ２０を装着させた防水ソケット１０は、回転子１ｉにおける受口面１ｉａに直管形ランプ２０の凹部２２ｂが当接した状態で、ボディ部１ｃ内に配置させた導電部１ｈの接触片１ｈａと直管形ランプ２０の第１ランプピン２４とが接触する。ここで、直管形ランプ２０を防水ソケット１０に装着した場合、各第１ランプピン２４の板状突出部２４ａは、各導電部１ｈの接触片１ｈａとそれぞれ弾接され、第１ランプピン２４が防水ソケット１０側に保持される。なお、防水ソケット１０は、第１ランプピン２４が挿入口１ｅから直線状溝部１ｋｄに沿って挿入された後、直管形ランプ２０を直管形ランプ２０の軸回りに回動させることにより、ボディ部１ｃの挿入口１ｅと、回転子１ｉの直線状溝部１ｋｂとの位置がずれる。これにより直管形ランプ２０は、第１ランプピン２４の板状突起部２４ａが導電部１ｈの接触片１ｈａに保持され、防水ソケット１０から抜け出ることが防がれる。
【００３８】
また、ソケット本体１は、支持部１ｂを介して、ベース基台１ａ側からボディ部１ｃ側まで貫通する複数個（ここでは、２個）の図示しない貫設孔を備えている。ベース基台１ａの貫設孔は、一対の導電部１ｈ，１ｈ側とそれぞれ電気的に接続可能な電線（図示していない）の挿入孔としている。なお、導電部１ｈは、貫設孔に挿入された電線と、電気的に簡便に接続できるように速結端子（図示していない）を備えた構成としてもよい。また、ソケット本体１のベース基台１ａには、ベース基台１ａの両側面に防水ソケット１０を取り付ける器具側と嵌合させる取付溝１ａａを好適に設けている。
【００３９】
また、ソケット本体１は、ボディ部１ｃの外周壁１ｄにおける外周面に雄螺子部１ｆが設けられている。ボディ部１ｃの内底面は、円環状の防水パッキン２のフランジ部２ｂが収納できるように窪んだ環状溝１ｃｄが形成されている（図２を参照）。ここで、本実施形態の防水ソケット１０は、ソケット本体１に装着される直管形ランプ２０の第１口金部２２を覆いボディ部１ｃの雄螺子部１ｆとの螺合によりソケット本体１に締め付ける締付カバー６を備えている。
【００４０】
本実施形態の防水ソケット１０は、図１（ｂ）に示すように、ソケット本体１のボディ部１ｃと締付カバー６との間にソケット本体１側から締付カバー６側にかけて順に、円環状の防水パッキン２と、ソケット本体１側に当接させる円筒状の第１内筒部３と、挿通される直管形ランプ２０との間から水分が浸入することを抑制する円筒状のシール材４と、シール材４を収納し締付カバー６の締め付けによりシール材４を第１内筒部３側に押圧する円環状の第２内筒部５とを備えている。
【００４１】
締付カバー６は、合成樹脂により円筒状に形成している。円筒状の締付カバー６は、カバー開口部６ａに直管形ランプ２０の第１口金部２２を挿入することができるように、第１口金部２２の外径よりも若干大きい内径を備えている。締付カバー６は、締付カバー６の内周面に雄螺子部１ｆと螺合する雌螺子部６ｄが形成されている（図２を参照）。締付カバー６は、直管形ランプ２０の軸回りに回転させ、雌螺子部６ｄと雄螺子部１ｆとの螺合により、ソケット本体１に取付けられた直管形ランプ２０の第１口金部２２の外周面を覆ってソケット本体１に取外し可能に取付けられる。締付カバー６には、ボディ部１ｃ側のカバー本体部６ｂと、カバー本体部６ｂからボディ部１ｃと反対側に向かうにつれカバー開口部６ａの内径が小さくなるカバー傾斜部６ｃとを備えている。締付カバー６は、第２内筒部５を介して、リング状の弾性体により成形されたシール材４を第１内筒部３に押圧して圧縮できるように収容している。
【００４２】
第２内筒部５は、ボディ部１ｃ側の第２内筒本体部５ｂと、第２内筒本体部５ｂからボディ部１ｃと反対側に向かうにつれ第２内筒開口部５ａの内径が小さくなる第２内筒傾斜部５ｄとを備えている。円筒状の第２内筒部５は、第２内筒開口部５ａに直管形ランプ２０の第１口金部２２を挿入することができるように、第１口金部２２の外径よりも若干大きくカバー開口部６ａよりも小さい内径を備えている。第２内筒部５に収容されるシール材４は、合成樹脂により形成した第２内筒部５と合成樹脂により形成した第１内筒部３とに跨って、第２内筒部５と第１内筒部３との内側に配置される（図２を参照）。シール材４には、シール本体部４ｃと、ボディ部１ｃ側にシール本体部４ｃよりも外径が小さく、第１内筒部３と当接させる円筒状のシール当接部４ｂとを備えている。また、シール本体部４ｃは、ボディ部１ｃと反対側に向かうにつれシール開口部４ａの内径が小さくなるように傾斜させており、端部に挿通される直管形ランプ２０側と密着させる円環状のシール密着部４ｄを有している。円筒状のシール材４は、シール開口部４ａに直管形ランプ２０の第１口金部２２を挿入することができるように、第１口金部２２の外径よりも若干大きく第２内筒開口部５ａよりも小さい内径を備えている。
【００４３】
第１内筒部３は、第１内筒開口部３ａに直管形ランプ２０の第１口金部２２を挿入することができるように第１口金部２２の外径よりも若干大きく、シール当接部４ｂを収容して当接する内径を備えた円筒状の第１内筒本体部３ｄにより形成している。
【００４４】
本実施形態の防水ソケット１０では、図２に示す断面視において、締付カバー６と、挿通される直管形ランプ２０とを密着するシール材４との間に、第１内筒部３および第２内筒部５が配置される。シール材４は、弾性を有するシール材４の外周面側に第１内筒部３および第２内筒部５が配され、内周面側で直管形ランプ２０と密着可能としている。
【００４５】
締付カバー６は、ボディ部１ｃ側と螺合することにより、カバー傾斜部６ｃが第２内筒部５を介してシール材４のシール開口部４ａの内径を小さくし、シール密着部４ｄと直管形ランプ２０とが密着するように締め付ける。ここで、第２内筒部５は、シール材４と比較して、非粘着性かつ低摩擦係数の合成樹脂材料により形成している。同様に、第１内筒部３は、シール材４と比較して、非粘着性かつ低摩擦係数の合成樹脂材料により形成している。
【００４６】
そのため、防水ソケット１０は、締付カバー６をボディ部１ｃに対し軸回りに回転して締付ける場合、締付カバー６と、シール材４とが直接接触する防水ソケットの構造と比較して、直管形ランプ２０とシール材４との密着性を維持したまま、締付カバー６をボディ部１ｃに対して回転し易くすることができる。
【００４７】
また、第１内筒部３には、締付カバー６の回転に伴い直管形ランプ２０が締付カバー６と共に回転する共周りを防止するため、第１内筒本体部３ｄの端部からボディ部１ｃ側に突出する凸状の形状の複数個の回転規制部３ｂを備えている。すなわち、第１内筒部３は、直管形ランプ２０の軸回りに回転することを規制させる回転規制部３ｂを備えている。ソケット本体１には、ボディ部１ｃの外周壁１ｄの内壁面から突出し、第１内筒部３の回転規制部３ｂと係合する複数個の凹状形状の本体回転規制部１ｇを有している。
【００４８】
ここで、回転規制部３ｂおよび本体回転規制部１ｇは、互いに係合して第１内筒部３の回転を規制できればよい。したがって、本体回転規制部１ｇは、凸状の形状であって、回転規制部３ｂが凸状の形状に係合する凹状の形状を備えたものでもよい。
【００４９】
また、第１内筒部３は、締付カバー６の回転に伴い直管形ランプ２０が共周りすることを規制するため、複数個の第１位置規制部３ｃを備えている。第１位置規制部３ｃは、凸状部として、直管形ランプ２０の軸方向に沿って直方体状に外側に突出する形状に形成している。
【００５０】
第２内筒部５は、第１内筒部３に対して第２内筒部５が直管形ランプ２０の軸方向に移動可能としている。また、第２内筒部５は、第１内筒部３に設けられた複数個の凸状部である第１位置規制部３ｃと係合して、直管形ランプ２０の軸回りへの第２内筒部５の回転を規制する。そのため、第２内筒部５は、第２内筒本体部５ｂのボディ部１ｃ側の端部から直管形ランプ２０の軸方向に沿って切欠かれた切欠部である第２位置規制部５ｃを、第２内筒部５の外周に沿って複数個設けている。
【００５１】
これにより、本実施形態の防水ソケット１０は、締付カバー６をボディ部１ｃに対し軸回りに回転して締付ける場合、直管形ランプ２０が共周りすることを規制しつつ、締付カバー６をボディ部１ｃに螺合することが可能となる。
【００５２】
なお、第１位置規制部３ｃは、上述のように、凸状部で構成され、第２位置規制部を切欠部とする構成だけに限られない。したがって、第１位置規制部３ｃおよび第２位置規制部５ｃは、一方が凸状の形状をした凸状部であり、他方が凸状部に係合する切欠部、あるいは凸状部に係合する溝となる溝部であってもよい。
【００５３】
また、防水ソケット１０は、第２内筒部５が直管形ランプ２０の共周りすることを防止し、直管形ランプ２０の軸方向に沿って移動可能なボディ部１ｃの形状であれば、必ずしも防水パッキン２および第１内筒部３を設ける必要はない。この場合、防水ソケット１０は、たとえば、第２内筒部５と係合するため、ボディ部１ｃから突出する円環状突出部を備えた構成とすることもできる。しかしながら、本実施形態の防水ソケット１０は、防水パッキン２および第１内筒部３を備えた構成とすることで、円環状突出部（図示していない）を備えたものと比較して、直管形ランプ２０の着脱を容易にすることができる。
【００５４】
次に、直管形ランプ２０の第２口金部２３側が装着される防水ソケットは、図示していないが上述した直管形ランプ２０の第１口金部２２側が装着される防水ソケット１０と外形を略同一形状としている。直管形ランプ２０の第２口金部２３側が装着される防水ソケットは、ソケット本体に直管形ランプ２０の第２口金部２３が当接可能な受口面を有している。防水ソケットは、受口面に直管形ランプ２０の第２ランプピン２５を挿入し、直管形ランプ２０の軸回りに軸部２５ａを回転可能に保持できる溝部を備えた構成とすることができる。また、防水ソケットは、ソケット本体の外周壁となる外周壁側からソケット本体の中心部側に沿って設けられ直管形ランプ２０の軸回りに軸部２５ａを回転可能に保持できる直線状溝部を備えた構成としてもよい。ここで、直線状溝部は、ソケット本体の外周壁の外周壁側が直管形ランプ２０の第２口金部２３から突出した第２ランプピン２５を挿入する挿入口を成している。また、防水ソケット１０は、内部に第２口金部２３から突出した１本の第２ランプピン２５と電気的に接続可能な導電部を構成する接地用の導電板たる第２の導電板を備えている。第２の導電板は、接地用のアースピンとなる第２ランプピン２５と電気的に接続させることで、接地用のアース端子として機能させることができる。なお、第２の導電板は、接地用に防水ソケットの外部と電気的に接続させる場合だけでなく、単に第２ランプピン２５を保持するだけの構成でもよい。また、直管形ランプ２０の第２口金部２３側が装着される防水ソケットは、上述した直管形ランプ２０の第１口金部２２側が装着される防水ソケット１０の構造と同様に、直管形ランプ２０の口金部である第２口金部２３を覆い直管形ランプ２０の軸回りの螺合によりソケット本体と締付カバーとの間にソケット本体側から締付カバー側にかけて順に配される、第１内筒部と、シール材と、第２内筒部とを備えている。さらに、直管形ランプ２０の第２口金部２３を装着させる防水ソケットのソケット本体は、回転規制部とに係合する本体回転規制部を有し、第２内筒部は、第１内筒部に対して第２内筒部が直管形ランプ２０の軸方向に可動でき、かつ第１内筒部に設けられた第１位置規制部と係合して直管形ランプ２０の回転方向への回動が規制される第２位置規制部を設けている。すなわち、直管形ランプ２０の第２口金部２３側が装着される防水ソケットは、直管形ランプ２０の第１口金部２２側を装着させる防水ソケット１０と、直管形ランプ２０の第２口金部２３側を装着させる構造以外は、同様の構造としている。
【００５５】
次に、本実施形態の防水ソケット１０に直管形ランプ２０を装着させて防水構造とする方法について説明する。
【００５６】
直管形ランプ２０を防水ソケット１０に装着する際には、予め、防水パッキン２のパッキン開口部２ａ、第１内筒部３の第１内筒開口部３ａ、シール材４のシール開口部４ａ、第２内筒部５の第２内筒開口部５ａおよび締付カバー６のカバー開口部６ａに直管形ランプ２０を挿通させておく。次に、防水ソケット１０は、直管形ランプ２０の第１口金部２２を防水ソケット１０の受口面１ｉａ側、直管形ランプ２０の第２口金部２３を第２口金部２３を装着させる防水ソケットの受口面側にして、直管形ランプ２０を防水ソケット１０に近付ける。そして、直管形ランプ２０の第１口金部２２側は、防水ソケット１０の挿入口１ｅ内に一対の第１ランプピン２４，２４を挿入させる。同様に、直管形ランプ２０の第２口金部２３側は、第２口金部２３用の防水ソケットにおける第２の受口面の第２の挿入口内に第２ランプピン２５を挿入させる。その後、直管形ランプ２０は、防水ソケット１０に対して、直管形ランプ２０の軸回りに回動して防水ソケット１０に装着される。
【００５７】
これにより、第１ランプピン２４は、挿入口１ｅからソケット本体１の内部に挿入され回転子１ｉを回動させて、導電部１ｈの接触片１ｈａと嵌合させられる。
【００５８】
なお、第１ランプピン２４における板状突出部２４ａの挿入口１ｅへの挿入に伴って、導電部１ｈの接触片１ｈａが外側に撓められた後、接触片１ｈａの弾性力などで板状突出部２４ａが接触片１ｈａに接触して保持される。
【００５９】
防水ソケット１０は、一対の導電部１ｈ，１ｈの各接触片１ｈａ，１ｈａが直管形ランプ２０の２本の第１ランプピン２４，２４と各別に電気的に接続されるとともに、直管形ランプ２０を機械的に保持する。
【００６０】
この状態で、直管形ランプ２０は、発光管２１内部の発光ダイオードが所定の照射面側を向くように、実装基板と第１ランプピン２４，２４や第２ランプピン２５との位置関係を規定している。この時、２本の第１ランプピン２４，２４は、防水ソケット１０のボディ部１ｃの内部に配置されている２個の導電部１ｈ，１ｈと、各別に電気的に接続される。これにより、防水ソケット１０は、ボディ部１ｃの内部に配置されている２個の導電部１ｈ，１ｈを介して、防水ソケット１０側から直管形ランプ２０の発光ダイオードに直流電流を供給することが可能となる。また、直管形ランプ２０の１本の第２ランプピン２５の径大部２５ｂは、第２の導電板と電気的に接続させることで、接地用のアースピンとなる。すなわち、第２口金部２３用の防水ソケットは、直管形ランプ２０の第２口金部２３側の保持および直管形ランプ２０のアース接続を行うことが可能となる。
【００６１】
次に、直管形ランプ２０を挿通した、防水パッキン２、第１内筒部３、シール材４、第２内筒部５および締付カバー６を、それぞれソケット本体１側に移動させる。防水パッキン２は、フランジ部２ｂを環状溝１ｃｄに収納する。また、防水パッキン２は、防水パッキン２の外周を第１内筒部３の第１内筒開口部３ａに当接させる。ここで、第１内筒部３は、第１内筒部３に設けられた回転規制部３ｂをソケット本体１の本体回転規制部１ｇと係合させる。また、シール材４は、シール当接部４ｄを第１内筒開口部３ａに収容させ、第１内筒部３の第１内筒本体部３ｄの端部と当接させる。第２内筒部５は、シール材４を覆って収容している。締付カバー６は、第２内筒部５を覆っている。ここで、第２内筒部５は、切欠部である位置規制部５ｃを第１内筒部３の凸状部である位置規制部３ｃに挿入している。防水ソケット１０は、この状態で、直管形ランプ２０を挿通した、防水パッキン２、第１内筒部３、シール材４、第２内筒部５を覆った締付カバー６をソケット本体１側と螺合する。なお、直管形ランプ２０は、この状態で、発光ダイオードが所定の照射面側を向くように装着されている。
【００６２】
本実施形態の防水ソケット１０は、ソケット本体１の回転規制部１ｇと、第１内筒部３の回転規制部３ｂとが係合しているため、第１内筒部３がソケット本体１に対して直管形ランプ２０の軸回りに回転することを規制することができる。さらに、防水ソケット１０の第１内筒部３と第２内筒部５とは、第１位置規制部３ｃと第２位置規制部５ｃとが係合しているため、締付カバー６を締め付けても、第２内筒部５および第１内筒部３がソケット本体１に対して、直管形ランプ２０の軸回りに回転することを規制することができる。
【００６３】
しがたがって、本実施形態の防水ソケット１０は、締付カバー６の回転に伴う直管形ランプ２０の共回りが規制され、防水ソケット１０に対する直管形ランプ２０の挿入方向が一定方向に定まった状態で直管形ランプ２０を装着することができる。すなわち、本実施形態の防止ソケット１０は、意図しない直管形ランプ２０の回転を抑制することができる。
【００６４】
なお、本実施形態の防水ソケット１０は、直管形ランプ２０として片側給電方式のＬ型口金付直管形ＬＥＤランプを用いて説明したが、両側給電方式の直管形ランプを装着させるために用いてもよい。すなわち、防水ソケット１０は、直管形ランプ２０の一端側の第１口金部２２と当接するソケット本体１の一表面５ａ側だけで給電させる片側給電方式だけでなく、両側給電方式の直管形ランプを装着させるために、直管形ランプ２０の一端側の第１口金部２２と当接する防水ソケット１０と、直管形ランプ２０の他端側の第２口金部２３と当接する防水ソケット１０とから給電することが可能な構成としてもよい。
【００６５】
本実施形態の防水ソケット１０は、締め付け部品として締付カバー６、シール材４を押圧して圧縮させる圧縮部品としての第２内筒部５、水分の浸入を抑制するシール材４、共回り防止部品としての第１内筒部３をそれぞれ機能分離させている。これにより、本実施形態の防水ソケット１０は、締付カバー６のソケット本体１への締め付けにともない直管形ランプ２０が共回りすることを防止することが可能となる。
【００６６】
（実施形態２）
本実施形態の防水ソケット１０は、実施形態１の防水ソケット１０のように、凸状の形状の回転規制部３ｂおよび凹状の形状の本体回転規制部１ｇを用いる代わりに、図４に示すように、鋸歯状の形状の回転規制部３ｂおよび鋸歯状の形状の本体回転規制部１ｇを用いた点が相違する。その他の構成および機能は実施形態１と同様である。
【００６７】
本実施形態の防水ソケット１０の第１内筒部３は、図４（ａ）に示すように、第１内筒本体部３ｄの端部からボディ部１ｃ側に突出する複数個（ここでは、８個）の鋸歯状の形状の回転規制部３ｂを備えている。また、本実施形態の防水ソケット１０のボディ部１ｃには、図４（ｂ）に示すように、外周壁１ｄの内壁面に直管形ランプ２０の軸方向に沿って設けられた複数個（ここでは、８個）の鋸歯状の形状の本体回転規制部１ｇを有している。本体回転規制部１ｇは、第１内筒部３が直管形ランプ２０の軸回りの一方の向きに回転することを可能とし、一方と反対の他方の向きへの第１内筒部３の回転を規制する。
【００６８】
なお、鋸歯状の回転規制部３ｂは、第１内筒部３の第１内筒本体部３ｄにおける外周に沿って、第１内筒本体部３ｄにおけるボディ部１ｃ側の底面３ｄａから突出している。ここで、ボディ部１ｃ側の底面３ｄａは、防水パッキン２のフランジ部２ｂと当接できる大きさとしている。
【００６９】
本実施形態の防水ソケット１０は、直管形ランプ２０の装着時において、第１内筒部３の鋸歯状の回転規制部３ｂと、ボディ部１ｃの鋸歯状の本体回転規制部１ｇとで係合させる。そのため、本実施形態の防水ソケット１０は、回転規制部３ｂと本体回転規制部１ｇとが互いを係合する鋸歯状の形状であるため、締付カバー６を締め付ける方向への第１内筒部３の回転を規制することが可能となる。また、防水ソケット１０は、締付カバー６をソケット本体１側から取り外す際、回転規制部３ｂと本体回転規制部１ｇとの係合が外れやすくすることが可能となる。
【００７０】
（実施形態３）
図５に示す本実施形態の防水ソケット１０は、実施形態１の防水ソケット１０における第１内筒部３の外周面に突出部３ｃａを設けた点が相違する。その他の構成および機能は実施形態１と同様である。
【００７１】
本実施形態の防水ソケット１０の締付カバー６は、図５に示すように、締付カバー６の内周面にソケット本体１と螺合する雌螺子部６ｄを備えている。雌螺子部６ｄには、直管形ランプ２０の軸方向に挿通部６ｅが設けられている。また、第１内筒部３は、第１内筒部３の外周面に設けられた第１位置規制部３ｃから外方に突出する突出部３ｃａを備えている。ここで、挿通部６ｅは、直管形ランプ２０の軸方向に突出部３ｃａを挿通させることができる。また、防水ソケット１０は、挿通部６ｅに挿通した突出部３ｃａが挿通部６ｅから直管形ランプ２０の軸回りにずれた位置において、突出部３ｃａと雌螺子部６ｄとが係止されることを可能としている。
【００７２】
本実施形態の防水ソケット１０は、挿通部６ｅに突出部３ｃａを通して挿通部６ｅと突出部３ｃａとを直管形ランプ２０の軸回りにずらした位置とした場合、締付カバー６と第１内筒部３とが容易に外れ難くすることができる。そのため、防水ソケット１０は、締付カバー６と第１内筒部３との間に、シール材４および第２内筒部５を保持したまま、締付カバー６に第１内筒部３を組み込むことが可能となる。これにより、本実施形態の防水ソケット１０は、締付カバー６のソケット本体１への締め付けが行い易く、直管形ランプ２０を装着して防水構造とすることが容易となる。
【００７３】
なお、本実施形態の防水ソケット１０の挿通部６ｅは、挿通部６ｅの幅が変らないものでもよいし、ソケット本体１側から離れるにしたがって、挿通部６ｅの幅が狭くものでもよい。ソケット本体１側から離れるにしたがって挿通部６ｅの幅が狭く挿通部６ｅは、突出部３ｃａの挿通がし易く、より締付カバー６に対して第１内筒部３を外れにくくすることが可能となる。
【００７４】
また、本実施形態の防水ソケット１０は、複数個の挿通部６ｅ同士の間隔と、複数個の突出部３ｃａ同士の間隔とを直管形ランプ２０の軸回りに等間隔で設けられたものでもよい。また、本実施形態の防水ソケット１０は、挿通部６ｅ同士の間隔と、突出部３ｃａ同士の間隔とを直管形ランプ２０の軸回りにおいて異ならせたものでもよい。間隔を異ならせた挿通部６ｅは、締付カバー６に対して第１内筒部３をより外れにくくすることが可能となる。
【００７５】
（実施形態４）
以下に、実施形態１で説明した防水ソケット１０を備える照明装置３０について図６の概略構成図を参照して説明する。
【００７６】
本実施形態の照明装置３０は、直管形ランプ２０を装着させることが可能な直方体状の照明器具３１を備えている。照明器具３１は、直管形ランプ２０の一端側の第１口金部２２と当接して給電するための図１で示した実施形態１の防水ソケット１０を備えている。また、照明器具３１は、直管形ランプ２０の他端側の第２口金部２３と当接して接地端子となる第２ランプピン２５と電気的に接続可能な実施形態１で説明した第２口金部２３用の防水ソケット１１とを備えている。照明器具３１の内部には、商用電源ＡＣからの電源線が接続される端子台３３と、端子台３３を介して入力される商用電源ＡＣからの交流電圧を直管形ランプ２０に適合した所定の直流電圧に変換して降圧し直管形ランプ２０に供給する点灯回路３２が収納されている。点灯回路３２の出力端子は、配線３４を介して防水ソケット１０と接続されている。防水ソケット１０は、防水ソケット１０に装着された直管形ランプ２０の第１口金部２２側から給電する。また、点灯回路３２のアース端子部は、配線３６を介して、照明器具３１の他方の端部（図６の右側）に設けた防水ソケット１１と電気的に接続されている。
【００７７】
照明装置３０は、照明器具３１の長手方向の両端部に直管形ランプ２０を保持できるように照明器具３１の本体に防水ソケット１０，１１を突出させて備えている。すなわち、照明装置３０は、直管形ランプ２０における発光管２１の両端に設けられた第１口金部２２、第２口金部２３をそれぞれ対応する防水ソケット１０，１１に装着させることで直管形ランプ２０を保持する。なお、照明装置３０は、防水ソケット１０，１１を直管形ランプ２０の第１口金部２２および第２口金部２３間の長さに応じた所定の間隔で配置している。
【００７８】
なお、照明装置３０は、実施形態１の防水ソケット１０を備える構成だけでなく、実施形態２，３の防水ソケット１０を備えた構成でもよい。
【符号の説明】
【００７９】
１  ソケット本体
１ｅ  挿入口
１ｆ  雄螺子部
１ｇ  本体回転規制部
３  第１内筒部
３ｂ  回転規制部
３ｃ  第１位置規制部（凸状部）
３ｃａ  突出部
４  シール材
５  第２内筒部
５ｃ  第２位置規制部（切欠部）
６  締付カバー
６ｄ  雌螺子部
６ｅ  挿通部
１０，１１  防水ソケット
２０  直管形ランプ
２２  第１口金部
２４  第１ランプピン
３０  照明装置
【図１】
0005789743.tif 000002
【図２】
0005789743.tif 000003
【図３】
0005789743.tif 000004
【図４】
0005789743.tif 000005
【図５】
0005789743.tif 000006
【図６】
0005789743.tif 000007
【図７】
0005789743.tif 000008